(57)【特許請求の範囲】
【請求項１】
接続部材と、
前記接続部材に接続される第１のコンポーネントと、
前記第１のコンポーネントに伸縮自在に接続される第１のケーブル管理アームであって、該第１のケーブル管理アームには少なくとも１つのケーブル管理部が設けられる、第１のケーブル管理アームと、
を含むケーブル管理装置。
【請求項２】
前記接続部材に枢結される第２のコンポーネントと、
前記第２のコンポーネントに伸縮自在に接続される第２のケーブル管理アームと、
をさらに含み、
前記第１のコンポーネントは前記接続部材に枢結され、
前記第1のコンポーネントは第１のシャフトを介して前記接続部材の一部に枢結され、前記第２のコンポーネントは、前記接続部材の前記一部とは異なる前記接続部材の別の部分に第２のシャフトを介して枢結される、請求項１に記載のケーブル管理装置。
【請求項３】
前記第１のコンポーネントと前記第１のケーブル管理アームとの間に配置される第１の弾性部材をさらに含み、
前記第１のケーブル管理アームは、前記第１のケーブル管理アームが前記第１のコンポーネントに対して直線的に動くことができるように、前記第１のコンポーネントの構造的特徴に対応する別の構造的特徴を有する、請求項２に記載のケーブル管理装置。
【請求項４】
第２の弾性部材と、少なくとも１つの支持部材とをさらに含み、
前記第２の弾性部材は、前記第２のコンポーネントと前記第２のケーブル管理アームとの間に配置され、前記少なくとも１つの支持部材は、前記第１のケーブル管理アーム及び前記第２のケーブル管理アームのうちの一方を支持するように構成されている、請求項３に記載のケーブル管理装置。
【請求項５】
前記少なくとも１つの支持部材は、第１の支持部材と、該第１の支持部材に伸縮自在に接続される第２の支持部材とを含み、
前記第１の支持部材及び前記第２の支持部材は、前記第１のケーブル管理アームの底部及び前記第２のケーブル管理アームの底部のうちの一方を支持するように構成されている、請求項４に記載のケーブル管理装置。
【請求項６】
第１のレール及び第２のレールを含む第１のスライドレールアセンブリであって、該第１のレール及び該第２のレールはお互いに対して可動である、第1のスライドレールアセンブリと、
ケーブル管理装置と、
を含む接続アセンブリであって、
前記ケーブル管理装置は、
接続部材と、
前記接続部材に接続される第１のコンポーネントと、
前記第１のコンポーネントに対して可動な第１のケーブル管理アームであって、該第１のケーブル管理アームは、第１の取り付け装置を介して前記第１のスライドレールアセンブリの第２のレールに取り付けることができる、第１のケーブル管理アームと、
前記接続部材に接続される第２のケーブル管理アームであって、該第２のケーブル管理アームは、第２の取り付け装置を介して前記第１のスライドレールアセンブリの第１のレールに取り付けることができる、第２のケーブル管理アームと、
を含み、
少なくとも１つのケーブル管理部が前記第１のケーブル管理アームに設けられる、接続アセンブリ。
【請求項７】
前記第１のコンポーネントは前記接続部材に枢結され、前記第１のケーブル管理アームは、伸縮自在に前記第１のコンポーネントに接続され、
前記第２のケーブル管理アームは、第２のコンポーネントを介して前記接続部材に接続され、前記第２のコンポーネントは、前記接続部材に枢結され、前記第２のケーブル管理アームは伸縮自在に前記第２のコンポーネントに接続され、少なくとも１つのケーブル管理部が前記第２のケーブル管理アームに設けられる、請求項６に記載の接続アセンブリ。
【請求項８】
前記第１のコンポーネントと前記第１のケーブル管理アームとの間に配置される第１の弾性部材をさらに含み、
前記第１の弾性部材は、前記第１のケーブル管理アームに弾性力を提供するように構成されている、請求項６に記載の接続アセンブリ。
【請求項９】
前記第２のコンポーネントと前記第２のケーブル管理アームとの間に配置される第２の弾性部材をさらに含み、
前記第２の弾性部材は、前記第２のケーブル管理アームに弾性力を提供するように構成され、前記第１のコンポーネントは第１のシャフトを介して前記接続部材の一部に枢結され、前記第２のコンポーネントは、前記接続部材の前記一部とは異なる前記接続部材の別の部分に第２のシャフトを介して枢結される、請求項７に記載の接続アセンブリ。
【請求項１０】
第２のスライドレールアセンブリと、少なくとも１つの支持部材とをさらに含み、
前記第２のスライドレールアセンブリは、第１のレール及び第２のレールを含み、前記第２のスライドレールアセンブリの第１のレール及び第２のレールはお互いに対して可動であり、
前記少なくとも１つの支持部材は、第３の取り付け装置を介して前記第２のスライドレールアセンブリの第１のレールに取り付けることができ、前記少なくとも１つの支持部材は、前記第１のケーブル管理アーム及び前記第２のケーブル管理アームのうちの一方を支持するように構成され、
前記第１の取り付け装置は前記第１のケーブル管理アームに枢結され、前記第２の取り付け装置は前記第２のケーブル管理アームに枢結され、前記第３の取り付け装置は、前記少なくとも１つの支持部材に枢結される、請求項７に記載の接続アセンブリ。
【発明の詳細な説明】
【技術分野】
【０００１】
本発明はケーブル管理フレームに関し、より具体的には、伸縮自在なケーブル管理装置と、該ケーブル管理装置を含む接続アセンブリとに関する。
【背景技術】
【０００２】
特許文献１にはケーブル管理装置が開示されている。ケーブル管理装置は第１のケーブル管理アーム、第２のケーブル管理アーム及び接続ベースを含む。第１のケーブル管理アーム及び第２のケーブル管理アームは接続ベースに枢結され、第１のケーブル管理アーム及び第２のケーブル管理アームのうちの一方にフィッティング部材が伸縮自在に接続されている。
【先行技術文献】
【特許文献】
【０００３】
【特許文献１】米国特許第１０３８９１００号明細書
【特許文献２】米国特許第１０２９２３０１号明細書
【特許文献３】米国特許第９４７４１８２号明細書
【特許文献４】米国特許第６９４５５０４号明細書
【発明の概要】
【発明が解決しようとする課題】
【０００４】
しかしながら、ユーザは、異なる市場の要求のために、ケーブル管理装置を伸縮させるのに上記の配置方法を用いることができない場合がある。そのため、構造の異なるケーブル管理製品をどのように開発するかが課題となっている。
【０００５】
本発明はケーブル管理装置を提供し、ケーブル管理装置の長さは調整可能である。
【課題を解決するための手段】
【０００６】
本発明の一態様によれば、ケーブル管理装置は、接続部材と、第１のコンポーネントと、第１のケーブル管理アームとを含む。第１のコンポーネントは接続部材に接続される。第１のケーブル管理アームは第１のコンポーネントに伸縮自在に接続される。第１のケーブル管理アームには少なくとも１つのケーブル管理部が設けられる。
【０００７】
を含む。
【０００８】
本発明の別の実施形態によれば、接続アセンブリは第１のスライドレールアセンブリと、ケーブル管理装置とを含む。第１のスライドレールアセンブリは第１のレール及び第２のレールを含む。第１のレール及び第２のレールはお互いに対して可動である。ケーブル管理装置は、接続部材と、第１のコンポーネントと、第１のケーブル管理アームと、第２のケーブル管理アームとを含む。第１のコンポーネントは接続部材に接続される。第１のケーブル管理アームは第１のコンポーネントに対して可動である。第１のケーブル管理アームは、第１の取り付け装置を介して第１のスライドレールアセンブリの第２のレールに取り付けることができる。第２のケーブル管理アームは接続部材に接続される。第２のケーブル管理アームは、第２の取り付け装置を介して第１のスライドレールアセンブリの第１のレールに取り付けることができる。
【０００９】
様々な図面に図示する下記の好ましい実施形態の詳細な説明を読み終えた後、本発明の上記の目的及び他の目的が当業者に間違いなく明らかになる。
【図面の簡単な説明】
【００１０】
【図１】図１は、本発明の一実施形態に係るケーブル管理装置の分解図である。
【図２】図２は、本発明の実施形態に係るケーブル管理装置を一視野角で示す図である。
【図３】図３は、本発明の実施形態に係るケーブル管理装置を別の視野角で示す図である。
【図４】図４は、本発明の実施形態に係る、第１の長さを有するケーブル管理装置を示す図である。
【図５】図５は、本発明の実施形態に係る、第２の長さを有するケーブル管理装置を示す図である。
【図６】図６は、本発明の実施形態に係る、ラックに適用されたケーブル管理装置を示す図であり、ケーブル管理装置の２つのケーブル管理アームは互いに近くにある。
【図７】図７は、本発明の実施形態に係る、ラックに適用されたケーブル管理装置を示す図であり、ケーブル管理装置の２つのケーブル管理アームはお互いに対して第１の長さで展開されている。
【図８】図８は、本発明の実施形態に係る、ラックに適用されたケーブル管理装置を示す図であり、ケーブル管理装置の２つのケーブル管理アームはお互いに対して第２の長さで展開されている。
【発明を実施するための形態】
【００１１】
図１及び図２に示すように、本発明の一実施形態のケーブル管理装置２０は接続部材２２、第１のコンポーネント２４及び第１のケーブル管理アーム２６を含む。ケーブル管理装置２０は第２のコンポーネント２８及び第２のケーブル管理アーム３０をさらに含むことが好ましい。第１のコンポーネント２４及び第２のコンポーネント２８は実質的に同じ構造構成を有し、第１のケーブル管理アーム２６及び第２のケーブル管理アーム３０は、実質的に同じ構造構成を有する。加えて、第１のコンポーネント２４と第１のケーブル管理アーム２６との間の構造的な関係は、第２のコンポーネント２８と第２のケーブル管理アーム３０との間の構造的な関係と実質的に同じであるが、本発明はそのような構成に限定されない。
【００１２】
第１のコンポーネント２４及び第２のコンポーネント２８は、接続部材２２の２つの異なる部分にそれぞれ接続される。第１のコンポーネント２４は、第１のシャフトＳ１を介して接続部材２２の第１の端部２２ａに枢結されることが好ましい（例えば、第１のシャフトＳ１は、第１のコンポーネント２４と、接続部材２２の第１の端部２２ａとを貫通する)。第１のケーブル管理アーム２６は、伸縮自在に第１のコンポーネント２４に接続されている。他方、第２のコンポーネント２８は、第２のシャフトＳ２を介して接続部材２２の第２の端部２２ｂに枢結される（例えば、第２のシャフトＳ２は、第２のコンポーネント２８と、接続部材２２の第２の端部２２ｂとを貫通する)。第２のケーブル管理アーム３０は、伸縮自在に第２のコンポーネント２８に接続されている。即ち、第２のケーブル管理アーム３０は、第２のコンポーネント２８を介して接続部材２２に接続されている。
【００１３】
少なくとも１つのケーブル管理部が第１のケーブル管理アーム２６、第２のケーブル管理アーム３０及び／又は接続部材２２に設けられる。第１のケーブル管理アーム２６、第２のケーブル管理アーム３０及び接続部材２２のそれぞれがケーブル管理部３４を含むことが好ましいが、このような構成に特に限定されない。例えば、ケーブル管理部３４を第１のケーブル管理アーム２６及び第２のケーブル管理アーム３０に設け、接続部材２２にはケーブル管理部を設けない構成とすることができる。あるいは、ケーブル管理部３４を第１のケーブル管理アーム２６及び第２のケーブル管理アーム３０のうちの一方のみに設け、接続部材２２と、第１のケーブル管理アーム２６及び第２のケーブル管理アーム３０のうちの他方とにはケーブル管理部を設けない構成とすることができる。
【００１４】
ケーブル管理部３４は、第１のケーブル管理アーム２６、第２のケーブル管理アーム３０及び接続部材２２に着脱可能に取り付けられることが好ましい。あるいは、所定のケーブル管理部を、第１のケーブル管理アーム２６、第２のケーブル管理アーム３０及び接続部材２２にそれぞれ形成することもできる。ケーブル管理装置２０は、少なくとも１つのケーブル管理部を介して、保持物体のケーブルを支持又は収容することができる。技術的な特徴は当業者にとって自明であるため、ここでは簡略化のために関連する説明を省略する。
【００１５】
第１のケーブル管理アーム２６は、第１のケーブル管理アーム２６は、第1のコンポーネント２４に対して直線的に動くことができように第1のコンポーネント２４の構造的特徴に対応する別の構造的特徴を有する。例えば、第１のケーブル管理アーム２６の少なくとも１つのアーム区画は第１の壁Ｗ１、第２の壁Ｗ２及び第１の壁Ｗ１と第２の壁Ｗ２との間に接続される第３の壁Ｗ３を含む。第１の壁Ｗ１及び第２の壁Ｗ２は、第３の壁Ｗ３に対して屈曲され、第１の壁Ｗ１、第２の壁Ｗ２及び第３の壁Ｗ３によりガイド通路３３が定義される。加えて、第３の壁Ｗ３は、ガイド通路３３内に配置されるブロック部３５を有する。ブロック部３５はガイド端３５ａと、ガイド端３５ａと反対側のブロック端３５ｂとを有し、ガイド端３５ａはガイド通路３３の挿入端に向かって配置される。ガイド端３５ａは傾斜面又は円弧面であり、ブロック端３５ｂは垂直面であり得るが、このような構成に限定されない。他方、第１のコンポーネント２４の少なくとも一部は、ガイド通路３３内に配置及び収容される。第１のコンポーネント２４は第１の部分２４ａ、第２の部分２４ｂ及び第１の部分２４ａと第２の部分２４ｂとの間に接続される第３の部分２４ｃを含む。加えて、第３の部分２４ｃの端部２５には対応部２５ａが形成されている。例えば、対応部２５ａは屈曲端であるが、このような構成に限定されない。対応部２５ａは、ブロック部３５のブロック端３５ｂに対応する。組み立ての際、第１のケーブル管理アーム２６のガイド通路３３の挿入端に挿入される第１のコンポーネント２４の端部２５を介して、第１のコンポーネント２４の端部２５の対応部２５ａが予めブロック部３５のガイド端３５ａに当接し、ブロック部３５のガイド端３５ａを通り過ぎる。第１の部分２４ａと第１の壁Ｗ１とは互いを支持することができ、第２の部分２４ｂと第２の壁Ｗ２は互いを支持することができ、第３の部分２４ｃと第３の壁Ｗ３とは互いに支持することができる。しかしながら、他の実施形態では、第１のケーブル管理アーム２６の構造的特徴及び第１のコンポーネント２４の構造的特徴は、細長い孔（スロット）と、細長い孔（スロット）の一部を貫通する突出構造との組み合わせであり、第１のケーブル管理アーム２６も第１のコンポーネント２４に対して直線的に動かすことができる。細長い孔（スロット）の延在方向は、第１のケーブル管理アーム２６（又は第１のコンポーネント２４）の長さ方向と同じである。そのため、第１のコンポーネント２４に対する第１のケーブル管理アーム２６の変位の技術的手段は特に限定されない。
【００１６】
ケーブル管理装置２０は、第１のコンポーネント２４と第１のケーブル管理アーム２６との間に配置される第１の弾性部材３６をさらに含むことが好ましい。第１の弾性部材３６は、第１のケーブル管理アーム２６に弾性力を提供するように構成されている。本実施形態では、第１の弾性部材３６は復帰バネ（resetting  spring）であり、第１の弾性部材３６の両端は、第１のコンポーネント２４の第１の取り付け部Ｍ１及び第１のケーブル管理アーム２６の第２の取り付け部Ｍ２に取り付けられるが、このような構成に特に限定されない。上述の構成によれば、図２に示すように、第１の弾性部材３６は、第１のケーブル管理アーム２６に対して第１のコンポーネント２４が元の位置に戻ることができるように、第１のケーブル管理アーム２６に弾性力を提供できる。第１のコンポーネント２４が第１のケーブル管理アーム２６に対して元の位置に戻ると、第１のコンポーネント２４の端部２５は、第１のケーブル管理アーム２６の第２の取り付け部Ｍ２によってブロックされ、第１のケーブル管理アーム２６を第１のコンポーネント２４に対して第１の所定の位置Ｐ１で保持できる。即ち、第１のケーブル管理アーム２６は、第１の弾性部材３６により提供される弾性力が加えられ且つ第２の取り付け部Ｍ２によりブロックされることによって、第１のコンポーネント２４に対して第１の所定の位置Ｐ１で保持することができる。第１のケーブル管理アーム２６が第１のコンポーネント２４に対して第１の所定の位置Ｐ１に位置する場合、ケーブル管理装置２０は第１の長さＬ１を有する。
【００１７】
ケーブル管理装置２０は、第１のケーブル管理アーム２６及び第２のケーブル管理アーム３０のうちの一方を支持するように構成された少なくとも１つの支持部材をさらに含むことが好ましい。本実施形態では、少なくとも１つの支持部材は第１の支持部材３７ａと、第１の支持部材３７ａに伸縮自在に接続される第２の支持部材３７ｂとを含む。第１の支持部材３７ａ及び第２の支持部材３７ｂは、第１のケーブル管理アーム２６の底部及び第２のケーブル管理アーム３０の底部のうちの一方を支持するように構成されている。
【００１８】
ケーブル管理装置２０は、第１のケーブル管理アーム２６、第２のケーブル管理アーム３０及び少なくとも１つの支持部材（例えば、第２の支持部材３７ｂ)にそれぞれ配置される第１の取り付け装置３８、第２の取り付け装置４０及び第３の取り付け装置４２をさらに含むことが好ましい。さらに、第１の取り付け装置３８は、第１の枢結部材Ｘ１を介して第１のケーブル管理アーム２６の端部に枢結される（例えば、第１の枢結部材Ｘ１は、第1の取り付け装置３８と、第１のケーブル管理アーム２６の端部とを貫通する)。第２の取り付け装置４０は、第２の枢結部材Ｘ２を介して第２のケーブル管理アーム３０の端部に枢結される（例えば、第２の枢結部材Ｘ２は、第２の取り付け装置４０と、第２のケーブル管理アーム３０の端部とを貫通する)。第３の取り付け装置４２は、第３の枢結部材Ｘ３を介して少なくとも1つの支持部材の支持ベース４４に枢結される（例えば、第３の枢動部材Ｘ３は、第３の取り付け装置４２と、少なくとも１つの支持部材の支持ベース４４とを貫通する)。支持ベース４４は支持部４４ａと、支持部４４ａに実質的に垂直に接続される側方部４４ｂとを有することが好ましい。支持部４４ａは少なくとも１つの支持部材に接続される（例えば枢結される）。第３の取り付け装置４２は、第３の枢結部材Ｘ３を介して側方部４４ｂに枢結される。
【００１９】
図３に示すように、ケーブル管理装置２０は、第２のコンポーネント２８と第２のケーブル管理アーム３０との間に配置される第２の弾性部材４６をさらに含む。第２の弾性部材４６は、第２のケーブル管理アーム３０に弾性力を提供するように構成されている。本実施の形態では、第２の弾性部材４６は復元バネであり、第２の弾性部材４６の両端は、第２のコンポーネント２８の第１の取り付け部Ｍ１及び第２のケーブル管理アーム３０の第２の取り付け部Ｍ２にそれぞれ取り付けられているが、本発明はこのような構成に限定されない。そのため、第２の弾性部材４６は、第２のコンポーネント２８が第２のケーブル管理アーム３０に対して元の位置に戻ることができるように、第２のケーブル管理アーム３０に弾性力を提供できる。第２のコンポーネント２８が第２のケーブル管理アーム３０に対して元の位置に戻されると、第２のコンポーネント２８の端部２９が第２のケーブル管理アーム３０の第２の取り付け部Ｍ２によりブロックされ、第２のケーブル管理アーム３０を第２のコンポーネント２８に対して第１の所定の位置Ｐ１で保持できる。即ち、第２のケーブル管理アーム３０は、第２の弾性部材４６により提供される弾性力が加えられ且つ第２のケーブル管理アーム３０の第２の取り付け部Ｍ２によりブロックされることによって、第２のコンポーネント２８に対して第１の所定の位置Ｐ１で維持できる。
【００２０】
図４に示すように、第２のケーブル管理アーム３０は、ケーブル管理装置２０が第１の長さＬ１を有するように、第２のコンポーネント２８に対して第１の所定の位置Ｐ１に位置することができる。第２の弾性部材４６が弾性力を提供することによって、第２のケーブル管理アーム３０は、第２のコンポーネント２８に対して第１の所定の位置Ｐ１で保持できる。なお、第１のケーブル管理アーム２６及び第１のコンポーネント２４は図４に示していない。
【００２１】
図５に示すように、ケーブル管理装置２０のケーブル管理アームのうちの一方（第１のケーブル管理アーム２６又は第２のケーブル管理アーム３０）は、コンポーネント（第１のコンポーネント２４又は第２のコンポーネント２８）に対して第２の所定の位置Ｐ２に位置することができる。本実施形態では、第２のケーブル管理アーム３０は、ケーブル管理装置２０が第１の長さＬ１よりも大きい第２の長さＬ２を有するように、第２のコンポーネント２８に対して第２の所定の位置Ｐ２に位置することができる。第２の弾性部材４６は弾性力を蓄積する。なお、第１のケーブル管理アーム２６及び第１のコンポーネント２４は図５に示していない。
【００２２】
図６に示すように、本発明の実施形態に係る接続アセンブリは第１のスライドレールアセンブリ４８及びケーブル管理装置２０を含む。接続アセンブリは第２のスライドレールアセンブリ５０をさらに含むことが好ましい。第１のスライドレールアセンブリ４８及び第２のスライドレールアセンブリ５０のそれぞれは、第１のレール５２及び第２のレール５４を含み、第１のレール５２及び第２のレール５４はお互いに対して可動である。本実施形態では、第１のレール５２はラックの第１のポスト５６ａ及び第２のポスト５６ｂに取り付けることができ、第２のレール５４は保持物体５８（例えば電子機器）を保持し、保持物体５８は、第２のレール５４を介して第１のレール５２に対して動かすことができる。第２のレール５４は、第１のレール５２に対して引っ込め位置Ｒに位置する。
【００２３】
図６は、第１のケーブル管理アーム２６を、第１の取り付け装置３８を介して第１のスライドレールアセンブリ４８の第２のレール５４に取り付ける(着脱可能に取り付ける)ことができることを示す図である。第２のケーブル管理アーム３０は、第２の取り付け装置４０を介して第１のスライドレールアセンブリ４８の第１のレール５２に取り付けることができる。少なくとも１つの支持部材（第１の支持部材３７ａ及び第２の支持部材３７ｂ）は、第３の取り付け装置４２を介して第２のスライドレールアセンブリ５０の第１のレール５２に取り付け（例えば、着脱可能に取り付け）できる。第２のレール５４が第１のレール５２に対して引っ込め位置Ｒに位置する場合、第１のケーブル管理アーム２６及び第２のケーブル管理アーム３０は互いに対して近くにある。第１の支持部材３７ａ及び第２の支持部材３７ｂは、第１のケーブル管理アーム２６の底部及び第２のケーブル管理アーム３０の底部のうちの一方を支持するように構成されている。なお、図６〜図８では、第１の弾性部材３６及び第２の弾性部材４６を省略している。
【００２４】
図７に示すように、第１のケーブル管理アーム２６は、ケーブル管理装置２０が第１の長さＬ１を有するように、第１のコンポーネント２４に対して第１の所定の位置Ｐ１に位置する。第２のレール５４は、第１のケーブル管理アーム２６及び第２のケーブル管理アーム３０が互いに対して展開されるように第１のレール５２に対して開方向Ｄに沿って引っ込め位置Ｒから第１の伸張位置Ｅ１に動かすことができる。
【００２５】
図８に示すように、第２のレール５４が第１のレール５２に対して開方向Ｄに沿って第２の伸張位置Ｅ２にさらに動かされると、第２のレール５４は、ケーブル管理装置２０が第１の長さＬ１よりも大きい第２の長さＬ２を有するように、第１のケーブル管理アーム２６を駆動して、第１のコンポーネンと２４に対して第２の所定の位置Ｐ２に動かすことができる。上記の構成によれば、ケーブル管理装置２０は、異なる伸長長さを有する異なるスライドレールアセンブリに適合可能である。即ち、第２のレール５４が第１のレール５２に対して第１の伸長位置Ｅ１に動かされると、第１の弾性部材３６は、第１の伸長位置Ｅ１に位置する第２のレール５４によって伸張されない。即ち、第１の弾性部材３６は、第１のコンポーネント２４に対して第１のケーブル管理アーム２６を第１の所定の位置Ｐ１で維持できる（図２も参照されたい）。第２のレール５４が第１のレール５２に対して第２の伸長位置Ｅ２に動かされると、第１の弾性部材３６は、第１のケーブル管理アーム２６のブロック部３５が第１のコンポーネント２４の端部２５の対応部２５ａに当接することを通じて第１のケーブル管理アーム２６を第１のコンポーネント２４に対して第２の所定の位置Ｐ２で維持できるように第２の伸長位置Ｅ２に位置する第２のレール５４によって伸張される（図５も参照されたい）。
【００２６】
なお、別の実施形態では、第１の取り付け装置３８、第２の取り付け装置４０及び第３の取り付け装置４２が回転可能であることを通じて、第２のケーブル管理アーム３０は第２の取り付け装置４０により第２のスライドレールアセンブリ５０の第２のレール５４に取り付けることができ、第1のケーブル管理アーム２６は、第１の取り付け装置３８により第２のスライドレールアセンブリ５０の第１のレール５２に取り付けることでき、少なくとも１つの支持部材は、第３の取り付け装置４２により第１のスライドレールアセンブリ４８の第１のレール５２に取り付けることができる。即ち、ケーブル管理装置２０は、ラックの左側の第１のスライドレールアセンブリ４８に適用できるか又はラックの右側の第２のスライドレールアセンブリ５０に適用できる。したがって、ケーブル管理装置２０は、ラックの左側及び右側で互換性がある。
【００２７】
従来技術と比べた場合、本発明の接続アセンブリ及びケーブル管理装置は従来技術に対して以下の観点から利点を有する。
【００２８】
１）第１のコンポーネント２４は接続部材２２に接続される。第１のケーブル管理アーム２６は伸縮自在に第１のコンポーネント２４に接続される。第１のケーブル管理アーム２６（又は第２のケーブル管理アーム３０）が異なる所定の位置に位置することで、ケーブル管理装置２０は異なる長さを有することができる。この構成によれば、ケーブル管理装置２０は、異なる伸長長さを有する異なるスライドレールアセンブリに適用できる。
【００２９】
２）第１の弾性部材３６は、第１のケーブル管理アーム２６が第１のコンポーネント２４に対して第１の所定の位置Ｐ1で維持できるように、第１のケーブル管理アーム２６に弾性力を提供するように構成されている。
【００３０】
３）第１のケーブル管理アーム２６は、第１の取り付け装置３８を介して第１のスライドレールアセンブリ４８の第１のレール５２に取り付けることができ、第２のケーブル管理アーム３０は、第２の取り付け装置４０を介して第１のスライドレールアセンブリ４８の第２のレール５４に取り付けることができる。
【００３１】
４）ケーブル管理装置２０は、ラックの左側の第１のスライドレールアセンブリ４８に適用することができるか又はラックの右側の第２のスライドレールアセンブリ５０に適用できる。したがって、ケーブル管理装置２０は、ラックの左側及び右側で互換性がある。
【００３２】
当業者であれば、本発明の教示を維持しながら多くの変更及び改良が装置及び方法に加えられ得ることに容易に気付く。従って、上記の開示は、添付の請求項の範囲によってのみ限定されると解釈すべきである。
【符号の説明】
【００３３】
２０  ケーブル管理装置
２２  接続部材
２４  第１のコンポーネント
２６  第１のケーブル管理アーム
２８  第２のコンポーネント
３０  第２のケーブル管理アーム
３４  ケーブル管理部
３６  第１の弾性部材
３８  第１の取り付け装置
４０  第２の取り付け装置
４２  第３の取り付け装置
４４  支持ベース
４６  第２の弾性部材
４８  第１のスライドレールアセンブリ
５０  第２のスライドレールアセンブリ
５２  第１のレール５２
５４  第２のレール
５６ａ  第１のポスト
５６ｂ  第２のポスト
５８  保持物体
【図１】
0006941194.tif 000002
【図２】
0006941194.tif 000003
【図３】
0006941194.tif 000004
【図４】
0006941194.tif 000005
【図５】
0006941194.tif 000006
【図６】
0006941194.tif 000007
【図７】
0006941194.tif 000008
【図８】
0006941194.tif 000009